(57)【要約】  本発明の基地局は、上り制御チャネルの送信電力の制御に用いられる第１のフィールド値と、前記上り制御チャネル用のリソースの決定に用いられる第２のフィールド値と、をそれぞれ含む複数の下り制御情報を送信する送信部と、前記第２のフィールド値を同一の値に設定する場合、前記第１のフィールド値の設定を制御する制御部と、を具備することを特徴とする。これにより、上り制御チャネルの送信電力を適切に制御できる。
2020017058.tif 000002
【特許請求の範囲】
【請求項１】
上り制御チャネルの送信電力の制御に用いられる第１のフィールド値と、前記上り制御チャネル用のリソースの決定に用いられる第２のフィールド値と、をそれぞれ含む複数の下り制御情報を送信する送信部と、
前記第２のフィールド値を同一の値に設定する場合、前記第１のフィールド値の設定を制御する制御部と、
を具備することを特徴とする基地局。
【請求項２】
前記制御部は、前記複数の下り制御情報が異なるスロット及び異なるセルの少なくとも一つの下り共有チャネルをスケジューリングする場合、同一のスロットの下り共有チャネルをスケジューリングする複数の下り制御情報内の前記第１のフィールド値を同一の値に設定することを特徴とする請求項１に記載の基地局。
【請求項３】
前記制御部は、前記複数の下り制御情報が異なるスロット及び異なるセルの少なくとも一つの下り共有チャネルをスケジューリングする場合、該複数の下り制御情報内の前記第１のフィールド値を同一の値に設定することを特徴とする請求項１に記載の基地局。
【請求項４】
上り制御チャネルの送信電力の制御に用いられる第１のフィールド値と、前記上り制御チャネル用のリソースの決定に用いられる第２のフィールド値と、をそれぞれ含む複数の下り制御情報を受信する受信部と、
前記第２のフィールド値に基づいて同一のリソースが決定される場合、前記複数の下り制御情報の中から選択される下り制御情報内の第１のフィールド値が示す送信電力制御（ＴＰＣ）コマンドの累積を制御する制御部と、
を具備することを特徴とするユーザ端末。
【請求項５】
前記制御部は、前記複数の下り制御情報の中から、所定の下り共有チャネルをスケジューリングする下り制御情報を選択することを特徴とする請求項４に記載のユーザ端末。
【請求項６】
前記制御部は、前記複数の下り制御情報の中から、所定のスロット及び所定のセルの少なくとも一つで検出される下り制御情報を選択することを特徴とする請求項４に記載のユーザ端末。
【発明の詳細な説明】
【技術分野】
【０００１】
本発明は、次世代移動通信システムにおける基地局及びユーザ端末に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
また、既存のＬＴＥシステム（例えば、ＬＴＥ  Ｒｅｌ．８−１３、以下、単にＬＴＥとも表記する）では、ユーザ端末は、上り制御チャネル（例えば、ＰＵＣＣＨ：Physical  Uplink  Control  Channel）の送信電力を、下り制御情報（ＤＣＩ：Downlink  Control  Information）内の所定フィールド（送信電力制御（ＴＰＣ：Transmission  Power  Control）フィールド）値が示すＴＰＣコマンドに基づいて制御する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
ＬＴＥでは、ＰＤＳＣＨをスケジューリングするＤＣＩは、上り制御チャネル用のリソース（ＰＵＣＣＨリソース）専用のフィールドを含まず、ＴＰＣコマンドフィールド値が所定の条件でＰＵＣＣＨリソースの識別子（ＡＣＫ／ＮＡＣＫリソース識別子（ＡＲＩ：ACK/NACK  Resource  Indicator）、ＡＣＫ／ＮＡＣＫリソースオフセット（ＡＲＯ：ACK/NACK  Resource  Offset））として利用される。【０００７】
一方、将来の無線通信システム（以下、単にＮＲとも表記する）では、ＰＤＳＣＨをスケジューリングするＤＣＩは、ＴＰＣコマンドフィールドとは別に、上り制御チャネル用のリソースの識別子（ＰＵＣＣＨリソース識別子（ＰＲＩ：PUCCH  resource  indicator/indication）、ＡＲＩ、ＡＲＯ等ともいう）用のフィールドを含むことが想定される。【０００８】
したがって、ＮＲでは、各ＤＣＩのＴＰＣコマンドフィールド値をどのように利用するかが問題となる。同一の上り制御チャネルに関連付けられる複数のＤＣＩが検出される場合、当該複数のＤＣＩの少なくとも一つのＴＰＣコマンドフィールド値が示すＴＰＣコマンドが適切に累積されない結果、上り制御チャネルの送信電力を適切に制御できない恐れがある。【０００９】
本発明はかかる点に鑑みてなされたものであり、上り制御チャネルの送信電力を適切に制御可能な基地局及びユーザ端末を提供することを目的の一つとする。
【課題を解決するための手段】
【００１０】
本発明の基地局の一態様は、上り制御チャネルの送信電力の制御に用いられる第１のフィールド値と、前記上り制御チャネル用のリソースの決定に用いられる第２のフィールド値と、をそれぞれ含む複数の下り制御情報を送信する送信部と、前記第２のフィールド値を同一の値に設定する場合、前記第１のフィールド値の設定を制御する制御部と、を具備することを特徴とする。
【発明の効果】
【００１１】
本発明によれば、上り制御チャネルの送信電力を適切に制御できる。
【図面の簡単な説明】
【００１２】
【図１】図１は、ＬＴＥにおけるＰＵＣＣＨの送信電力制御の一例を示す図である。
【図２】図２は、ＮＲにおけるＰＵＣＣＨの送信電力制御の一例を示す図である。
【図３】図３は、第１の態様に係るＴＰＣコマンドの累積（accumulation）の一例を示す図である。
【図４】図４は、第２の態様に係るＴＰＣコマンドの第１の累積の一例を示す図である。
【図５】図５は、第２の態様に係るＴＰＣコマンドの第２の累積の一例を示す図である。
【図６】図６は、第３の態様に係るＴＰＣコマンドの累積の一例を示す図である。
【図７】図７は、本実施の形態に係る無線通信システムの概略構成の一例を示す図である。
【図８】図８は、本実施の形態に係る無線基地局の全体構成の一例を示す図である。
【図９】図９は、本実施の形態に係る無線基地局の機能構成の一例を示す図である。
【図１０】図１０は、本実施の形態に係るユーザ端末の全体構成の一例を示す図である。
【図１１】図１１は、本実施の形態に係るユーザ端末の機能構成の一例を示す図である。
【図１２】図１２は、本実施の形態に係る無線基地局及びユーザ端末のハードウェア構成の一例を示す図である。
【発明を実施するための形態】
【００１３】
（ＰＵＣＣＨフォーマット）
ＮＲでは、上り制御情報（ＵＣＩ：Uplink  control  Information）の送信に用いられる上り制御チャネル（例えば、ＰＵＣＣＨ）用の構成（フォーマット、ＰＵＣＣＨフォーマット（ＰＦ）等ともいう）が検討されている。
【００１４】
ここで、ＵＣＩは、下り共有チャネル（例えば、ＰＤＳＣＨ：Physical  Downlink  Shared  Channel）に対する送達確認情報（ＨＡＲＱ−ＡＣＫ：Hybrid  Automatic  Repeat  reQuest−ACKnowledge、ＡＣＫ／ＮＡＣＫ：ACKnowledge／Non-ACK）、スケジューリング要求（ＳＲ：Scheduling  Request）、チャネル状態情報（ＣＳＩ：Channel  State  Information）の少なくとも一つを含んでもよい。
【００１５】
例えば、ＮＲでは、以下のＰＵＣＣＨフォーマットが検討されている：
・１又は２ビットのＵＣＩ（例えば、ＨＡＲＱ−ＡＣＫ及びＳＲの少なくとも一つ）の送信に用いられ、１又は２シンボルで送信されるＰＵＣＣＨフォーマット（ＰＦ０、ショートＰＵＣＣＨ等ともいう）、
・１又は２ビットのＵＣＩ（例えば、ＨＡＲＱ−ＡＣＫ及びＳＲの少なくとも一つ）の送信に用いられ、４シンボル以上で送信されるＰＵＣＣＨフォーマット（ＰＦ１、ロングＰＵＣＣＨ等ともいう）、
・２ビットより大きいＵＣＩの送信に用いられ、１又は２シンボルで送信されるＰＵＣＣＨフォーマット（ＰＦ２、ショートＰＵＣＣＨ等ともいう）、
・２ビットより大きいＵＣＩの送信に用いられ、４シンボル以上で送信されるＰＵＣＣＨフォーマット（ＰＦ３、ロングＰＵＣＣＨ等ともいう）、
・２ビットより大きいＵＣＩの送信に用いられ、４シンボル以上で送信され、ＰＵＣＣＨリソースが直交カバーコード（ＯＣＣ：Orthogonal  Cover  Code）を含むＰＵＣＣＨフォーマット（ＰＦ４、ロングＰＵＣＣＨ等ともいう）。
【００１６】
以上のようなＰＵＣＣＨフォーマットのＰＵＣＣＨは、一以上のセルを含むグループ（セルグループ（ＣＧ：Cell  Group）、ＰＵＣＣＨグループ等ともいう）内の特定のセルで送信されてもよい。当該特定のセルは、例えば、プライマリセル（ＰＣｅｌｌ：Primary  Cell）、プライマリセカンダリセル（ＰＳＣｅｌｌ：Primary  Secondary  Cell）、ＰＵＣＣＨ送信用のセカンダリセル（ＳＣｅｌｌ：Secondary  Cell、ＰＵＣＣＨ−ＳＣｅｌｌ）等であってもよい。なお、「セル」は、サービングセル、コンポーネントキャリア（ＣＣ：Component  Carrier）、キャリア等とも言い換えられてもよい。
【００１７】
（ＰＵＣＣＨリソース）
また、ＮＲでは、ＰＵＣＣＨ用の一以上のリソース（ＰＵＣＣＨリソース）のセットが上位レイヤシグナリングによりに設定（configure）されてもよい。なお、上位レイヤシグナリングによる設定とは、基地局（ＢＳ（Base  Station）、送受信ポイント（ＴＲＰ：Transmission/Reception  Point）、ｅＮＢ（eNodeB）、ｇＮＢ（NR  NodeB）等ともいう）からユーザ端末（ＵＥ（User  Equipment）、端末、ＭＳ（Mobile  station）等ともいう）に対して設定（configuration）情報を通知することであってもよい。
【００１８】
また、上位レイヤシグナリングは、例えば、以下の少なくとも一つであればよい：
・ＲＲＣ（Radio  Resource  Control）シグナリング、
・ＭＡＣ（Medium  Access  Control）シグナリング（例えば、ＭＡＣ制御要素（ＭＡＣ  ＣＥ（Control  Element））、ＭＡＣ  ＰＤＵ（Protocol  Data  Unit））、
・ブロードキャストチャネル（例えば、ＰＢＣＨ：Physical  Broadcast  Channel）によって伝送される情報（例えば、マスタ情報ブロック（ＭＩＢ：Master  Information  Block））、
・システム情報（例えば、システム情報ブロック（ＳＩＢ：System  Information  Block）、最低限のシステム情報（ＲＭＳＩ：Remaining  Minimum  System  Information）、他のシステム情報（ＯＳＩ：Other  System  Information））。
【００１９】
例えば、一以上のＰＵＣＣＨリソースを含むセット（ＰＵＣＣＨリソースセット）は、ＣＣ内に設定される部分的な帯域（帯域幅部分（ＢＷＰ：Bandwidth  Part））毎に、上位レイヤシグナリングにより設定されてもよい。
【００２０】
また、上位レイヤシグナリングにより設定されるＰＵＣＣＨリソースセット内の各ＰＵＣＣＨリソースは、ＤＣＩ内の所定フィールド（ＰＵＣＣＨリソース識別子（ＰＲＩ：PUCCH  resource  indicator/indication）フィールド、ＡＣＫ／ＮＡＣＫリソース識別子（ＡＲＩ：ACK/NACK  Resource  Indicator）フィールド、ＡＣＫ／ＮＡＣＫリソースオフセット（ＡＲＯ：ACK/NACK  Resource  Offset）フィールド、第２のフィールド等ともいう）の各値に関連付けられてもよい。当該ＤＣＩは、ＰＤＳＣＨのスケジューリングに用いられるＤＣＩ（ＤＬアサインメント、ＤＣＩフォーマット１＿０又は１＿１）であってもよい。
【００２１】
ユーザ端末は、ＤＣＩ内のＰＲＩフィールドの値に基づいて、ＵＣＩの送信に用いられるＰＵＣＣＨリソースを決定する。当該ＰＲＩフィールドはｘビット（例えば、ｘ＝３）であってもよい。ＰＵＣＣＨリソースセットが２のｘ乗（例えば、ｘ＝３なら８）以下のＰＵＣＣＨリソースを含む場合、ユーザ端末は、ＰＲＩフィールドの値に関連付けられるＰＵＣＣＨリソースをＵＣＩの送信用に決定してもよい。
【００２２】
一方、ＰＵＣＣＨリソースセットが２のｘ乗（例えば、ｘ＝３なら８）を超えるＰＵＣＣＨリソースを含む場合、ユーザ端末は、ＰＲＩフィールドの値（ΔＰＲＩ、ＰＲＩ、ＡＲＩ、ＡＲＯ等ともいう）に加えて、他のパラメータに基づいて、ＵＣＩの送信用のＰＵＣＣＨリソースを決定してもよい。当該他のパラメータは、以下の少なくとも一つを含んでもよい。
・ＰＲＩフィールドを含むＤＣＩを伝送する下り制御チャネル（例えば、ＰＤＣＣＨ：Physical  Downlink  Control  Channel）の受信用の制御リソースセット（ＣＯＲＥＳＥＴ：Control  Resource  Set）ｐ内の制御チャネル要素（ＣＣＥ：Control  Channel  Element）の数（ＮＣＣＥ，ｐ）、
・当該下り制御チャネルの受信用のＣＣＥ（例えば、最初のＣＣＥ）のインデックス（ｎＣＣＥ，ｐ、ＣＣＥインデックス）。
【００２３】
なお、各ＰＵＣＣＨリソースは、例えば、ＰＵＣＣＨに割り当てられるシンボル数、シンボルの開始インデックス、ＰＵＣＣＨに割り当てられるリソースブロック（物理リソースブロック（ＰＲＢ：Physical  Resource  Block）等ともいう）、当該リソースブロックの開始インデックス、スロット内で周波数ホッピングを適用するか否か、周波数ホッピングが適用される場合の第２ホップのＰＲＢの開始インデックス等の少なくとも一つを含んでもよい。
【００２４】
また、各ＰＵＣＣＨリソースには、上記ＰＵＣＣＨフォーマットが関連付けられ、関連付けられるＰＵＣＣＨフォーマット固有のリソース（例えば、ＰＦ０の初期巡回シフト、ＰＦ１の時間領域のＯＣＣ、ＰＦ４のＯＣＣ長、ＯＣＣインデックス等）を含んでもよい。
【００２５】
（ＰＵＣＣＨ用の送信電力制御）
また、ＮＲでは、ＰＵＣＣＨの送信電力は、ＤＣＩ内の所定フィールド（ＴＰＣコマンドフィールド、第１のフィールド等ともいう）の値が示すＴＰＣコマンド（値、増減値、訂正値（correction  value）等ともいう）に基づいて制御される。
【００２６】
例えば、電力制御調整状態のインデックスｌを用いたセルｃのキャリアｆのＢＷＰｂについての送信機会（transmission  occasion）（送信期間等ともいう）ｉにおけるＰＵＣＣＨの送信電力（ＰＰＵＣＣＨ、ｂ，ｆ，ｃ（ｉ，ｑｕ，ｑｄ，ｌ））は、下記式（１）で表されてもよい。
【００２７】
ここで、電力制御調整状態は、上位レイヤパラメータによって複数の状態（例えば、２状態）を有するか、又は、単一の状態を有するかが設定されてもよい。また、複数の電力制御調整状態が設定される場合、インデックスｌ（例えば、ｌ∈｛０，１｝）によって当該複数の電力制御調整状態の一つが識別されてもよい。電力制御調整状態は、ＰＵＣＣＨ電力制御調整状態（PUCCH  power  control  adjustment  state）、第１又は第２の状態等と呼ばれてもよい。
【００２８】
また、ＰＵＣＣＨの送信機会ｉは、ＰＵＣＣＨが送信される所定期間であり、例えば、一以上のシンボル、一以上のスロット等で構成されてもよい。
【００２９】
【数１】
2020017058.tif 000003
【００３０】
式（１）において、ＰＣＭＡＸ，ｆ，ｃ（ｉ）は、例えば、送信機会ｉにおけるセルｃのキャリアｆ用に設定されるユーザ端末の送信電力（最大送信電力等ともいう）である。Ｐ０＿ＰＵＣＣＨ，ｂ，ｆ，ｃ（ｑｕ）は、例えば、送信機会ｉにおけるセルｃのキャリアｆのＢＷＰｂ用に設定される目標受信電力に係るパラメータ（例えば、送信電力オフセットに関するパラメータ、送信電力オフセットＰ０、又は、目標受信電力パラメータ等ともいう）である。
【００３１】
ＭＰＵＣＣＨＲＢ，ｂ，ｇ，ｃ（ｉ）は、例えば、セルｃ及びサブキャリア間隔μのキャリアｆの上りＢＷＰｂにおける送信機会ｉ用にＰＵＣＣＨに割り当てられるリソースブロック数（帯域幅）である。ＰＬｂ，ｇ，ｃ（ｑｄ）は、例えば、セルｃのキャリアｆの上りＢＷＰｂに関連付けられる下りＢＷＰ用の参照信号のインデックスｑｄを用いてユーザ端末で計算されるパスロスである。
【００３２】
ΔＦ＿ＰＵＣＣＨ（Ｆ）は、ＰＵＣＣＨフォーマット毎に与えられる上位レイヤパラメータである。ΔＴＦ，ｂ，ｆ，ｃ（ｉ）は、セルｃのキャリアｆの上りＢＷＰｂ用の送信電力調整成分（transmission  power  adjustment  component）（オフセット）である。
【００３３】
ｇｂ，ｆ，ｃ（ｉ，ｌ）は、セルｃ及び送信機会ｉのキャリアｆの上りＢＷＰの上記電力制御調整状態インデックスｌのＴＰＣコマンドに基づく値（例えば、ＴＰＣコマンドの累積値）である。例えば、ＴＰＣコマンドの累積値は、式（２）によって表されてもよい。
【数２】
2020017058.tif 000004
【００３４】
式（２）において、δＰＵＣＣＨ，ｂ，ｆ，ｃ（ｉｌａｓｔ，ｉ，ＫＰＵＣＣＨ，ｌ）は、例えば、ＰＵＣＣＨの直近の送信機会ｉｌａｓｔの後の送信機会ｉ用にセルｃのキャリアｆの上りＢＷＰｂで検出されるＤＣＩ（例えば、ＤＣＩフォーマット１＿０又は１＿１）内のＴＰＣコマンドフィールド値が示すＴＰＣコマンドであってもよいし、特定のＲＮＴＩ（Radio  Network  Temporary  Identifier）（例えば、ＴＰＣ−ＰＵＣＣＨ−ＲＮＴＩ）でスクランブルされるＣＲＣパリティビットを有する（ＣＲＣスクランブルされる）ＤＣＩ（例えば、ＤＣＩフォーマット２＿２）内のＴＰＣコマンドフィールド値が示すＴＰＣコマンドであってもよい。
【００３５】
なお、式（１）（２）は例示にすぎず、これに限られない。ユーザ端末は、式（１）（２）に例示される少なくとも一つのパラメータに基づいて、ＰＵＣＣＨの送信電力を制御すればよく、追加のパラメータが含まれてもよいし、一部のパラメータが省略されてもよい。また、上記式（１）（２）では、あるセルのあるキャリアのＢＷＰ毎にＰＵＣＣＨの送信電力が制御されるが、これに限られない。セル、キャリア、ＢＷＰ、電力制御調整状態の少なくとも一部が省略されてもよい。
【００３６】
以上のように、ＴＰＣコマンドの累積値に基づいてＰＵＣＣＨの送信電力を制御する場合、ＴＰＣコマンドフィールド値を含む複数のＤＣＩが検出されると、どのＤＣＩ内のＴＰＣコマンドフィールド値が示すＴＰＣコマンドを累積するかが問題となる。
【００３７】
例えば、ＬＴＥでは、特定のセル（例えば、ＰＣｅｌｌ又はＰＳＣｅｌｌ）で検出された一つのＤＣＩ内のＴＰＣコマンドフィールド値がＴＰＣコマンドとして用いられる。一方、ＬＴＥでは、他のＤＣＩ（例えば、ＳＣｅｌｌで検出されるＤＣＩ、ＰＣｅｌｌ又はＰＳＣｅｌｌで検出されるがカウンタＤＡＩ（Downlink  Assignment  Index）が１より大きいＤＣＩ）内のＴＰＣコマンドフィールド値を、ＴＰＣコマンドとしてではなく、ＰＲＩとして利用する。
【００３８】
図１は、ＬＴＥにおけるＰＵＣＣＨの送信電力制御の一例を示す図である。例えば、図１では、ＰＣｅｌｌとＳＣｅｌｌとを統合するキャリアアグリゲーション（ＣＡ：Carrier  Aggregation）が行われる。また、図１では、ユーザ端末は、ＰＣｅｌｌ及びＳＣｅｌｌの双方において複数のサブフレーム（ここでは、４サブフレーム）それぞれで複数のＤＣＩを検出し、当該複数のＤＣＩによってそれぞれスケジューリングされるＰＤＳＣＨのＨＡＲＱ−ＡＣＫを含むＵＣＩを、ＰＵＣＣＨで送信するものとする。
【００３９】
図１に示す場合、ＰＣｅｌｌで検出され、かつ、カウンタＤＡＩが１であるＤＣＩ内のＴＰＣコマンドフィールド値は、ＰＵＣＣＨの送信電力に用いられ、当該ＴＰＣコマンドフィールド値が示すＴＰＣコマンドが累積される。一方、図１に示す場合、他のＤＣＩ内のＴＰＣコマンドフィールド値は、ＰＲＩとして用いられ、当該ＴＰＣコマンドフィールド値が示すＴＰＣコマンドは累積されない。なお、同一のサブフレームの複数のＤＣＩ内のＰＲＩの値は、同一であってもよい。
【００４０】
このように、ＬＴＥでは、ＰＤＳＣＨのスケジューリングに用いられるＤＣＩには、ＰＲＩ専用のフィールドは含まれず、所定の条件が満たされると、ＴＰＣコマンドフィールドがＰＲＩとして利用される。一方、ＮＲでは、ＰＤＳＣＨのスケジューリングに用いられるＤＣＩ（例えば、ＤＣＩフォーマット１＿０又は１＿１）には、ＴＰＣコマンドフィールド（例えば、２ビット）と、ＰＲＩフィールド（例えば、３ビット）とが別々に含まれる。
【００４１】
図２は、ＮＲにおけるＰＵＣＣＨの送信電力制御の一例を示す図である。図２では、ユーザ端末は、ＰＣｅｌｌ及びＳＣｅｌｌの双方において複数のスロット（ここでは、４スロット）それぞれで複数のＤＣＩを検出し、当該複数のＤＣＩによってそれぞれスケジューリングされるＰＤＳＣＨのＨＡＲＱ−ＡＣＫを含むＵＣＩを、ＰＵＣＣＨで送信するものとする。
【００４２】
ここで、スロットは、ＮＲにおけるスケジューリングの単位であり、サブキャリア間隔（ＳＣＳ：SubCarrier  Spacing）に基づいて時間長が制御されてもよい。例えば、ＳＣＳが１５ｋＨｚである場合、スロット長は、１ｍｓであってもよい。
【００４３】
図２に示すように、複数のＤＣＩによりそれぞれスケジューリングされるＰＤＳＣＨのＨＡＲＱ−ＡＣＫが同一のＰＵＣＣＨで送信される場合、当該複数のＤＣＩそれぞれに含まれるＴＰＣコマンドフィールド値が示すＴＰＣコマンドが適切に累積されない結果、当該同一のＰＵＣＣＨの送信電力を適切に制御できない恐れがある。
【００４４】
そこで、本発明者らは、一以上のＤＣＩによりそれぞれスケジューリングされるＰＤＳＣＨに対するＨＡＲＱ−ＡＣＫを含むＵＣＩの送信に用いられるＰＵＣＣＨの送信電力を適切に制御する方法を検討し、本発明に至った。
【００４５】
以下、本実施の形態について詳細に説明する。また、以下では、上記ＰＵＣＣＨフォーマット３、４等のロングＰＵＣＣＨを図面で例示するが、これに限られない。ＰＵＣＣＨに割り当てられるシンボル数は、スロットの少なくとも一部であればよく、どのようなＰＵＣＣＨフォーマットの送信電力の制御に適用されてもよい。
【００４６】
本実施の形態において、例えば、ユーザ端末は、ＴＰＣコマンドフィールド値（第１のフィールド値）と、ＰＲＩフィールド値（第２のフィールド値）とを、それぞれ含む複数のＤＣＩを受信してもよい。また、ユーザ端末は、当該複数のＤＣＩそれぞれに含まれるＰＲＩフィールド値に基づいて同一のＰＵＣＣＨリソースが決定される場合、当該複数のＤＣＩそれぞれに含まれるＴＰＣコマンドフィールド値が示すＴＰＣコマンドの累積を制御してもよい。
【００４７】
なお、本実施の形態において「複数のＤＣＩそれぞれに含まれるＰＲＩフィールド値に基づいて同一のＰＵＣＣＨリソースが決定される場合」とは、「複数のＤＣＩそれぞれに含まれるＰＲＩフィールド値が同一の値である場合」であってもよいし、又は、「複数のＤＣＩそれぞれに含まれるＰＲＩフィールド値が同一の値であり、かつ、当該複数のＤＣＩに関する他のパラメータ（例えば、ＣＣＥインデックス及びＣＯＲＥＳＥＴ内のＣＣＥ数の少なくとも一つ）が同一である場合」であってもよい。
【００４８】
また、当該複数のＤＣＩは、「同一のＰＵＣＣＨリソースを示す複数のＤＣＩ」、「同一のＰＵＣＣＨに関連付けられる複数のＤＣＩ」等と言い換えられてもよい。また、当該複数のＤＣＩは、それぞれ、ＰＤＳＣＨスケジューリングに用いられるＤＣＩ（例えば、ＤＣＩフォーマット１＿０又は１＿１）であってもよい。また、当該複数のＤＣＩは、同一の電力制御調整状態インデックスｌにマッピングされてもよい。
【００４９】
また、本実施の形態において、各ＤＣＩ内のＴＰＣコマンドフィールド値は、ＴＰＣコマンドとして、送信電力の増減値（ｄＢ）を示す。例えば、ＴＰＣコマンドフィールド値「０」、「１」、「２」、「３」は、それぞれ、−１、０、＋１、＋３［ｄＢ］を示すものとするが、増減値及び値の対応づけはこれらに限られない。
【００５０】
（第１の態様）
第１の態様では、所定スロットにおける同一のＰＵＣＣＨリソースを示す複数のＤＣＩのＴＰＣコマンドフィールド値が示すＴＰＣコマンドが累積されてもよい。
【００５１】
図３は、第１の態様に係るＴＰＣコマンドの累積（accumulation）の一例を示す図である。図３では、ユーザ端末は、ＰＣｅｌｌ（ＰＳＣｅｌｌ等でもよい）及びＳＣｅｌｌの双方において複数のスロット（ここでは、４スロット）それぞれで複数のＤＣＩ（ここでは、８個のＤＣＩ）を検出し、当該複数のＤＣＩによってそれぞれスケジューリングされるＰＤＳＣＨのＨＡＲＱ−ＡＣＫを含むＵＣＩを、所定スロットにおける同一のＰＵＣＣＨで送信するものとする。
【００５２】
また、図３では、検出された複数のＤＣＩそれぞれのＰＲＩフィールド値に基づいて同一のＰＵＣＣＨリソースが決定される。図３に示す場合、ユーザ端末は、当該複数のＤＣＩのうち、全てのＤＣＩ内のＴＰＣコマンドフィールド値が示すＴＰＣコマンドの累積値に基づいて、ＰＵＣＣＨの送信電力を制御してもよい。
【００５３】
例えば、図３のＰＣｅｌｌで検出される４ＤＣＩそれぞれのＴＰＣコマンドフィールド値が＋３、＋３、＋３、＋３［ｄＢ］を示し、ＳＣｅｌｌで検出される４ＤＣＩそれぞれのＴＰＣコマンドフィールド値が＋１、＋１、＋１、＋１［ｄＢ］を示す場合、８ＤＣＩが示すＴＰＣコマンドの累積値は、＋１６［ｄＢ］である。
【００５４】
一方、図３のＰＣｅｌｌで検出される４ＤＣＩそれぞれのＴＰＣコマンドフィールド値が＋１、＋１、＋１、＋１［ｄＢ］を示し、ＳＣｅｌｌで検出される４ＤＣＩそれぞれのＴＰＣコマンドフィールド値が−１、−１、−１、−１［ｄＢ］を示す場合、８ＤＣＩが示すＴＰＣコマンドの累積値は、０［ｄＢ］である。
【００５５】
ユーザ端末は、ＰＵＣＣＨの送信機会ｉにおいて、同じ電力調整状態インデックスｌの直近の送信機会ｉｌａｓｔの累積値（例えば、ｇｂ，ｆ，ｃ（ｉｌａｓｔ，ｌ））に、上記複数のＤＣＩ（ここでは、８ＤＣＩ）が示すＴＰＣコマンドの値を加算した累積値（例えば、ｇｂ，ｆ，ｃ（ｉ，ｌ））に基づいて、送信機会ｉのＰＵＣＣＨの送信電力を制御してもよい。
【００５６】
第１の態様によれば、所定スロットにおける同一のＰＵＣＣＨリソースを示す複数のＤＣＩそれぞれのＴＰＣコマンドフィールド値が示すＴＰＣコマンドが累積される。これにより、当該複数のＤＣＩによりそれぞれスケジューリングされるＰＤＳＣＨのＨＡＲＱ−ＡＣＫを含むＵＣＩの送信に用いられるＰＵＣＣＨの送信電力を、単一のＴＰＣコマンドに基づく場合よりも大きい範囲で制御できる。
【００５７】
（第２の態様）
第２の態様では、所定スロットにおける同一のＰＵＣＣＨリソースを示す複数のＤＣＩのうちで、特定のＤＣＩ内のＴＰＣコマンドフィールド値が示すＴＰＣコマンドが累積されてもよい。
【００５８】
＜第１の累積＞
第１の累積において、所定スロットにおける同一のＰＵＣＣＨリソースを示す複数のＤＣＩのうちで、ＴＰＣコマンドが累積される特定のＤＣＩは、例えば、特定のセルのＰＤＳＣＨをスケジューリングする所定のＤＣＩであってもよい。当該特定のセルは、例えば、ＰＣｅｌｌ、ＰＳＣｅｌｌ又はＰＵＣＣＨ−ＳＣｅｌｌに対応する下りセルであってもよい。また、当該所定のＤＣＩは、カウンタＤＡＩがＤＣＩに含まれる場合、当該カウンタＤＡＩとして用いられるＤＡＩフィールド値が所定値（例えば、１）であるＤＣＩであってもよい。
【００５９】
ユーザ端末は、当該複数のＤＣＩのうちで、当該特定のＤＣＩ以外のＤＣＩ内のＴＰＣコマンドフィールド値が示すＴＰＣコマンドを破棄（discard）してもよい。
【００６０】
図４は、第２の態様に係るＴＰＣコマンドの第１の累積の一例を示す図である。図４では、図３との相違点を中心に説明する。図４では、検出された複数のＤＣＩそれぞれのＰＲＩフィールド値に基づいて同一のＰＵＣＣＨリソースが決定される。図４に示す場合、ユーザ端末は、当該複数のＤＣＩのうち、特定のセルのＰＤＳＣＨをスケジューリングするＤＣＩ内のＴＰＣコマンドフィールド値が示すＴＰＣコマンドの累積値に基づいて、ＰＵＣＣＨの送信電力を制御してもよい。
【００６１】
例えば、図４では、特定のセル（ここでは、ＰＣｅｌｌ）のＰＤＳＣＨをスケジューリングし、かつ、ＤＡＩフィールド値（カウンタＤＡＩ）が１であるＤＣＩ内のＴＰＣコマンドフィールド値が示すＴＰＣコマンドが累積されてもよい。
【００６２】
具体的には、ユーザ端末は、ＰＵＣＣＨの送信機会ｉにおいて、同じ電力調整状態インデックスｌの直近の送信機会ｉｌａｓｔの累積値（例えば、ｇｂ，ｆ，ｃ（ｉｌａｓｔ，ｌ））に、カウンタＤＡＩが１であるＤＣＩが示すＴＰＣコマンドの値を加算した累積値（例えば、ｇｂ，ｆ，ｃ（ｉ，ｌ））に基づいて、送信機会ｉのＰＵＣＣＨの送信電力を制御してもよい。
【００６３】
一方、図４において、ユーザ端末は、上記特定のセルのＰＤＳＣＨをスケジューリングし、かつ、カウンタＤＡＩが１より大きいＤＣＩ内のＴＰＣコマンドフィールド値が示すＴＰＣコマンドを破棄してもよい。
【００６４】
また、ユーザ端末は、上記特定のセル以外のセル（ここでは、ＳＣｅｌｌ）のＰＤＳＣＨをスケジューリングするＤＣＩ内のＴＰＣコマンドフィールド値が示すＴＰＣコマンドを破棄してもよい。
【００６５】
＜第２の累積＞
第２の累積において、所定スロットにおける同一のＰＵＣＣＨリソースを示す複数のＤＣＩのうちで、ＴＰＣコマンドが累積される上記特定のＤＣＩは、例えば、ＰＵＣＣＨの送信機会ｉの前の直近のＰＤＳＣＨをスケジューリングする所定のＤＣＩであってもよい。
【００６６】
ＰＵＣＣＨの送信機会ｉの前の直近のＰＤＳＣＨが複数のセルでそれぞれスケジューリングされる場合、上記特定のＤＣＩは、所定のインデックス（ＣＣインデックス、キャリアインデックス等ともいう）のセルのＤＣＩであってもよい。例えば、上記所定のインデックスのセルは、当該複数のセルのうちでインデックスの降順の最初のセル（すなわち、インデックス値が最大のセル）であってもよいし、或いは、インデックスの昇順の最初のセル（すなわち、インデックス値が最小のセル）であってもよい。
【００６７】
或いは、ＰＵＣＣＨの送信機会ｉの前の直近のＰＤＳＣＨが複数のセルでそれぞれスケジューリングされる場合、上記特定のＤＣＩは、どのセルのＰＤＳＣＨをスケジューリングするＤＣＩであってもよい。この場合、ユーザ端末は、当該複数のセル間で同じタイミング（スロット）のＰＤＳＣＨをスケジューリングする複数のＤＣＩ内のＴＰＣコマンドフィールド値は、同一であると想定してもよい。また、基地局は、同じタイミング（スロット）に複数のセルで複数のＰＤＳＣＨをそれぞれスケジューリングする場合、当該複数のＰＤＳＣＨをスケジューリングする複数のＤＣＩ内のＴＰＣコマンドフィールド値を同一の値としてもよい。
【００６８】
ユーザ端末は、当該複数のＤＣＩのうちで、当該特定のＤＣＩ以外のＤＣＩ内のＴＰＣコマンドフィールド値が示すＴＰＣコマンドを破棄してもよい。
【００６９】
図５は、第２の態様に係るＴＰＣコマンドの第２の累積の一例を示す図である。図５では、図４との相違点を中心に説明する。図５では、検出された複数のＤＣＩそれぞれのＰＲＩフィールド値に基づいて同一のＰＵＣＣＨリソースが決定される。
【００７０】
図５に示す場合、ユーザ端末は、当該複数のＤＣＩのうち、ＰＵＣＣＨの送信機会ｉの前の直近のＰＤＳＣＨをスケジューリングするＤＣＩ内のＴＰＣコマンドフィールド値が示すＴＰＣコマンドの累積値に基づいて、ＰＵＣＣＨの送信電力を制御してもよい。
【００７１】
図５では、基地局は、複数のセル（ここでは、ＰＣｅｌｌ及びＳＣｅｌｌ）間で同一のタイミング（スロット）のＰＤＳＣＨをスケジューリングする複数のＤＣＩ内のＴＰＣコマンドフィールド値を同一とする。このため、ＰＵＣＣＨの送信機会ｉの直近のＰＤＳＣＨが複数のセルでスケジューリングされる場合、ユーザ端末は、任意のセル（ここでは、ＰＣｅｌｌ）のＰＤＳＣＨをスケジューリングするＤＣＩ内のＴＰＣコマンドフィールド値が示すＴＰＣコマンドを蓄積してもよい。
【００７２】
図５において、ユーザ端末は、ＰＵＣＣＨの送信機会ｉにおいて、同じ電力調整状態インデックスｌの直近の送信機会ｉｌａｓｔの累積値（例えば、ｇｂ，ｆ，ｃ（ｉｌａｓｔ，ｌ））に、直近のＰＤＳＣＨをスケジューリングするＤＣＩが示すＴＰＣコマンドの値を加算した累積値（例えば、ｇｂ，ｆ，ｃ（ｉ，ｌ））に基づいて、送信機会ｉのＰＵＣＣＨの送信電力を制御してもよい。
【００７３】
一方、図５において、ユーザ端末は、ＰＵＣＣＨの送信機会ｉの直近のＰＤＳＣＨ以外のＰＤＳＣＨをスケジューリングするＤＣＩ内のＴＰＣコマンドフィールド値が示すＴＰＣコマンドを破棄してもよい。
【００７４】
なお、図示しないが、ＰＵＣＣＨの送信機会ｉの直近のＰＤＳＣＨが複数のセルでスケジューリングされる場合、所定のセル（例えば、インデックス値が最大又は最小のセル）のＰＤＳＣＨをスケジューリングするＤＣＩ内のＴＰＣコマンドフィールド値が示すＴＰＣコマンドが累積されてもよい。
【００７５】
この場合、ユーザ端末は、ＰＵＣＣＨの送信機会ｉの直近のＰＤＳＣＨ以外のＰＤＳＣＨをスケジューリングするＤＣＩだけでなく、当該直近のＰＤＳＣＨの所定セル以外のＰＤＳＣＨをスケジューリングするＤＣＩ内のＴＰＣコマンドフィールド値が示すＴＰＣコマンドを破棄してもよい。
【００７６】
第２の態様によれば、所定スロットにおける同一のＰＵＣＣＨリソースを示す複数のＤＣＩのうち、特定のＤＣＩ内のＴＰＣコマンドフィールド値が示すＴＰＣコマンドが累積される。これにより、当該複数のＤＣＩによりそれぞれスケジューリングされるＰＤＳＣＨのＨＡＲＱ−ＡＣＫを含むＵＣＩの送信に用いられるＰＵＣＣＨの送信電力を簡便に制御できる。
【００７７】
（第３の態様）
第３の態様では、所定スロットにおける同一のＰＵＣＣＨリソースを示す複数のＤＣＩのうちで、任意のＤＣＩ内のＴＰＣコマンドフィールド値が示すＴＰＣコマンドが累積されてもよい。当該複数のＤＣＩのうちどのＤＣＩのＴＰＣコマンドフィールド値が示すＴＰＣコマンドを累積するかは、ユーザ端末の実装（implementation）次第であってもよい。
【００７８】
例えば、ユーザ端末は、同一のＰＵＣＣＨリソースを示す複数のＤＣＩを時間領域及び周波数領域の少なくとも一つで検出する場合、所定のＰＤＳＣＨをスケジューリングするＤＣＩ内のＴＰＣコマンドフィールド値が示すＴＰＣコマンドを累積してもよい。ここで、所定のＰＤＳＣＨは、例えば、直近又は最初のＰＤＳＣＨ、又は、ＰＣｅｌｌ、ＰＳＣｅｌｌ又はＰＵＣＣＨ−ＳＣｅｌｌに対応する下りセルのＰＤＳＣＨ、又は、最大又は最小のスロット番号のスロットのＰＤＳＣＨであってもよい。
【００７９】
或いは、ユーザ端末は、同一のＰＵＣＣＨリソースを示す複数のＤＣＩを時間領域及び周波数領域の少なくとも一つで検出する場合、所定のスロット番号（例えば、最大又は最小）のスロット、さらには当該スロット内の所定のサーチスペース（例えば、サーチスペースインデックスが最大又は最小、あるいは所定のＤＣＩフォーマット（例えばＤＣＩフォーマット１＿１）をモニタリングするサーチスペース）で検出されるＤＣＩ内のＴＰＣコマンドフィールド値が示すＴＰＣコマンドを累積してもよい。
【００８０】
或いは、ユーザ端末は、同一のＰＵＣＣＨリソースを示す複数のＤＣＩを時間領域及び周波数領域の少なくとも一つで検出する場合、所定のＣＣインデックスのセル（例えば、最小又は最大のＣＣインデックスのセル）のＣＣで検出されるＤＣＩ内のＴＰＣコマンドフィールド値が示すＴＰＣコマンドを累積してもよい。
【００８１】
基地局は、同一のＰＵＣＣＨリソースを示す（例えば、ＰＲＩフィールド値が同一である）複数のＤＣＩ内のＴＰＣコマンドフィールド値を同一の値とする。当該複数のＤＣＩは、ユーザ端末固有のＤＣＩであってもよい。ユーザ端末は、当該複数のＤＣＩ内のＴＰＣコマンドフィールド値が異なることを予期（expect）しない（同一の値であると予期する）。
【００８２】
ユーザ端末は、同一のＰＵＣＣＨリソースを示す複数のＤＣＩを時間領域及び周波数領域の少なくとも一つで検出する場合、上述の基準で選択されたＤＣＩ以外のＤＣＩ内のＴＰＣコマンドフィールド値を、仮想的な巡回冗長検査（ＣＲＣ：Cyclic  Redundancy  Check）ビットとして利用してもよい。
【００８３】
図６は、第３の態様に係るＴＰＣコマンドの累積の一例を示す図である。図６では、図５との相違点を中心に説明する。図６では、検出された複数のＤＣＩそれぞれのＰＲＩフィールド値に基づいて同一のＰＵＣＣＨリソースが決定される。
【００８４】
図６に示す場合、ユーザ端末は、当該複数のＤＣＩのうち任意のＰＤＳＣＨ（例えば、図６では、直近及びＰｃｅｌｌのＰＤＳＣＨ）をスケジューリングするＤＣＩ内のＴＰＣコマンドフィールド値が示すＴＰＣコマンドの累積値に基づいて、ＰＵＣＣＨの送信電力を制御してもよい。
【００８５】
図６では、基地局は、異なるセル（ここでは、ＰＣｅｌｌ及びＳＣｅｌｌ）及び異なるタイミング（スロット）のＰＤＳＣＨをスケジューリングする複数のＤＣＩ内のＴＰＣコマンドフィールド値を同一とする。このため、時間領域及び周波数領域の少なくとも一つが異なる複数のＰＤＳＣＨがスケジューリングされる場合、ユーザ端末は、任意のセル（ここでは、直近及びＰｃｅｌｌ）のＰＤＳＣＨをスケジューリングするＤＣＩ内のＴＰＣコマンドフィールド値が示すＴＰＣコマンドを累積してもよい。
【００８６】
図６において、ユーザ端末は、ＰＵＣＣＨの送信機会ｉにおいて、同じ電力調整状態インデックスｌの直近の送信機会ｉｌａｓｔの累積値（例えば、ｇｂ，ｆ，ｃ（ｉｌａｓｔ，ｌ））に、任意のＤＣＩ（ここでは、直近及びＰｃｅｌｌのＰＤＳＣＨをスケジューリングするＤＣＩ）が示すＴＰＣコマンドの値を加算した累積値（例えば、ｇｂ，ｆ，ｃ（ｉ，ｌ））に基づいて、送信機会ｉのＰＵＣＣＨの送信電力を制御してもよい。
【００８７】
一方、図６において、ユーザ端末は、選択したＤＣＩ（ここでは、直近及びＰｃｅｌｌ）以外のＤＣＩ内のＴＰＣコマンドフィールド値を仮想ＣＲＣビットとして利用してもよい。
【００８８】
第３の態様によれば、基地局は、同一のＰＵＣＣＨリソースを示す複数のＤＣＩ内のＴＰＣコマンドフィールド値が同一の値とする。このため、ユーザ端末、任意のＤＣＩ内のＴＰＣコマンドフィールド値が示すＴＰＣコマンドを累積できる。これにより、当該複数のＤＣＩによりそれぞれスケジューリングされるＰＤＳＣＨのＨＡＲＱ−ＡＣＫを含むＵＣＩの送信に用いられるＰＵＣＣＨの送信電力を適切に制御できる。
【００８９】
（無線通信システム）
以下、本実施の形態に係る無線通信システムの構成について説明する。この無線通信システムでは、本開示の上記各実施形態に係る無線通信方法のいずれか又はこれらの組み合わせを用いて通信が行われる。
【００９０】
図７は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【００９１】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【００９２】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【００９３】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【００９４】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００９５】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【００９６】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【００９７】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【００９８】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【００９９】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１００】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１０１】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１０２】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１０３】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１０４】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１０５】
なお、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１０６】
ＰＣＦＩＣＨによって、ＰＤＣＣＨに用いるＯＦＤＭシンボル数が伝送されてもよい。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送されてもよい。ＥＰＤＣＣＨは、ＰＤＳＣＨ（下り共有データチャネル）と周波数分割多重され、ＰＤＣＣＨと同様にＤＣＩなどの伝送に用いられる。
【０１０７】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１０８】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１０９】
＜無線基地局＞
図８は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１１０】
下りリンクによって無線基地局１０からユーザ端末２０に送信されるユーザデータは、上位局装置３０から伝送路インターフェース１０６を介してベースバンド信号処理部１０４に入力される。
【０１１１】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１１２】
送受信部１０３は、ベースバンド信号処理部１０４からアンテナごとにプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１１３】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１１４】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１１５】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１１６】
図９は、本実施の形態に係る無線基地局の機能構成の一例を示す図である。なお、本例では、本実施形態における特徴部分の機能ブロックを主に示しており、無線基地局１０は、無線通信に必要な他の機能ブロックも有すると想定されてもよい。
【０１１７】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１１８】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１１９】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１２０】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１２１】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１２２】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１２３】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１２４】
送信信号生成部３０２は、例えば、制御部３０１からの指示に基づいて、ＤＣＩを生成する。当該ＤＣＩは、例えば、当該下りデータの割り当て情報を通知するＤＬアサインメント、上りデータの割り当て情報を通知するＵＬグラント、ＳＦＩを含むＤＣＩ等の少なくとも一つである。また、下りデータ信号には、各ユーザ端末２０からのチャネル状態情報（ＣＳＩ：Channel  State  Information）などに基づいて決定された符号化率、変調方式などに従って符号化処理、変調処理が行われる。また、下りデータ信号には、上位レイヤシグナリングにより設定（configure）される情報が含まれてもよい。
【０１２５】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１２６】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１２７】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１２８】
測定部３０５は、受信した信号に関する測定を実施する。測定部３０５は、本開示に係る技術分野での共通認識に基づいて説明される測定器、測定回路又は測定装置から構成することができる。
【０１２９】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１３０】
なお、送受信部１０３は、下り制御情報（ＤＣＩ）を送信してもよい。当該ＤＣＩは、少なくともＴＰＣコマンドを示す所定フィールド値（ＴＰＣコマンドフィールド値）を含んでもよい。具体的には、送受信部１０３は、上り制御チャネルの送信電力の制御に用いられるＴＰＣコマンドフィールド値（第１のフィールド値）と、前記上り制御チャネル用のリソースの決定に用いられるＰＲＩフィールド値（第２のフィールド値）と、をそれぞれ含む複数の下り制御情報を送信してもよい。
【０１３１】
また、送受信部１０３は、上り制御チャネル（ＰＵＣＣＨ）を受信してもよい。送受信部１０３は、当該上り制御チャネルに関する設定情報（例えば、ＰＵＣＣＨリソースなど）を上位レイヤシグナリングにより送信してもよい。
【０１３２】
制御部３０１は、上記複数の下り制御情報それぞれに含まれる前記ＰＲＩフィールド値を同一の値に設定する場合、前記ＴＰＣコマンドフィールド値の設定を制御してもよい。
【０１３３】
具体的には、制御部３０１は、前記複数の下り制御情報が異なるスロット及び異なるセルの少なくとも一つの下り共有チャネルをスケジューリングする場合、同一のスロットの下り共有チャネルをスケジューリングする複数の下り制御情報内の前記ＴＰＣコマンドフィールド値を同一の値に設定してもよい（第２の態様、第２の累積）。
【０１３４】
また、制御部３０１は、前記複数の下り制御情報が異なるスロット及び異なるセルの少なくとも一つの下り共有チャネルをスケジューリングする場合、該複数の下り制御情報内の前記ＴＰＣコマンドフィールド値を同一の値に設定してもよい（第３の態様）。
【０１３５】
＜ユーザ端末＞
図１０は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１３６】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１３７】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１３８】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１３９】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１４０】
図１１は、本実施の形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１４１】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１４２】
制御部４０１は、ユーザ端末２０全体の制御を実施する。制御部４０１は、本開示に係る技術分野での共通認識に基づいて説明されるコントローラ、制御回路又は制御装置から構成することができる。
【０１４３】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１４４】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１４５】
また、制御部４０１は、無線基地局１０から通知された各種情報を受信信号処理部４０４から取得した場合、当該情報に基づいて制御に用いるパラメータを更新してもよい。
【０１４６】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１４７】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１４８】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１４９】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１５０】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１５１】
測定部４０５は、受信した信号に関する測定を実施する。測定部４０５は、本開示に係る技術分野での共通認識に基づいて説明される測定器、測定回路又は測定装置から構成することができる。
【０１５２】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１５３】
なお、送受信部２０３は、下り制御情報（ＤＣＩ）を受信してもよい。当該ＤＣＩは、少なくともＴＰＣコマンドを示す所定フィールド値（ＴＰＣコマンドフィールド値）を含んでもよい。具体的には、送受信部２０３は、上り制御チャネルの送信電力の制御に用いられるＴＰＣコマンドフィールド値（第１のフィールド値）と、前記上り制御チャネル用のリソースの決定に用いられるＰＲＩフィールド値（第２のフィールド値）と、をそれぞれ含む複数の下り制御情報を受信してもよい。
【０１５４】
また、送受信部２０３は、上り制御チャネル（ＰＵＣＣＨ）を送信してもよい。送受信部２０３は、当該上り制御チャネルに関する設定情報（例えば、ＰＵＣＣＨリソースなど）を上位レイヤシグナリングにより受信してもよい。
【０１５５】
制御部４０１は、上記複数の下り制御情報それぞれに含まれる前記ＰＲＩフィールド値に基づいて同一のリソースが決定される場合、前記ＴＰＣコマンドフィールド値が示す送信電力制御（ＴＰＣ）コマンドの累積を制御してもよい。
【０１５６】
具体的には、制御部４０１は、上記複数の下り制御情報それぞれに含まれる前記ＰＲＩフィールド値に基づいて同一のリソースが決定される場合、前記複数の下り制御情報のうち、全ての下り制御情報内の前記ＴＰＣコマンドフィールド値が示すＴＰＣコマンドの累積値に基づいて、前記上り制御チャネルの送信電力を制御してもよい（第１の態様）。
【０１５７】
また、制御部４０１は、上記複数の下り制御情報それぞれに含まれる前記ＰＲＩフィールド値に基づいて同一のリソースが決定される場合、前記複数の下り制御情報のうち、特定のセルの下り共有チャネルをスケジューリングする下り制御情報内の前記ＴＰＣコマンドフィールド値が示すＴＰＣコマンドの累積値に基づいて、前記上り制御チャネルの送信電力を制御してもよい（第２の態様、第１の累積）。
【０１５８】
また、制御部４０１は、上記複数の下り制御情報それぞれに含まれる前記ＰＲＩフィールド値に基づいて同一のリソースが決定される場合、前記複数の下り制御情報のうち、直近の下り共有チャネルをスケジューリングする下り制御情報内の前記ＴＰＣコマンドフィールド値が示すＴＰＣコマンドの累積値に基づいて、前記上り制御チャネルの送信電力を制御してもよい（第２の態様、第２の累積）。
【０１５９】
また、制御部４０１は、上記複数の下り制御情報それぞれに含まれる前記ＰＲＩフィールド値に基づいて同一のリソースが決定される場合、前記複数の下り制御情報から任意に選択される下り制御情報内の前記ＴＰＣコマンドフィールド値が示すＴＰＣコマンドの累積値に基づいて、前記送信電力を制御してもよい（第３の態様）。
【０１６０】
例えば、制御部４０１は、前記複数の下り制御情報の中から、所定の下り共有チャネルをスケジューリングする下り制御情報を選択してもよい。また、制御部４０１は、前記複数の下り制御情報の中から、所定のスロット及び所定のセルの少なくとも一つで検出される下り制御情報を選択してもよい。
【０１６１】
また、制御部４０１は、前記複数の下り制御情報のうち、残りの下り制御情報内の前記ＴＰＣコマンドフィールド値を、仮想的な巡回冗長検査（ＣＲＣ）ビットとして利用してもよい（第３の態様）。
【０１６２】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１６３】
例えば、本実施の形態における無線基地局、ユーザ端末などは、本開示の無線通信方法の処理を行うコンピュータとして機能してもよい。図１２は、本実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１６４】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１６５】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１６６】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１６７】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１６８】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１６９】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本実施の形態に係る無線通信方法を実施するために実行可能なプログラム（プログラムコード）、ソフトウェアモジュールなどを保存することができる。
【０１７０】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１７１】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１７２】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１７３】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１７４】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１７５】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１７６】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０１７７】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０１７８】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１７９】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１８０】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１８１】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１８２】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１８３】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１８４】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１８５】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１８６】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１８７】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１８８】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１８９】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１９０】
また、情報、信号などは、上位レイヤから下位レイヤ、及び／又は下位レイヤから上位レイヤへ出力され得る。情報、信号などは、複数のネットワークノードを介して入出力されてもよい。
【０１９１】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１９２】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１９３】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０１９４】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１９５】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１９６】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１９７】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０１９８】
本明細書において使用する「システム」及び「ネットワーク」という用語は、互換的に使用される。
【０１９９】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２００】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２０１】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０２０２】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２０３】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本開示の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２０４】
同様に、本明細書におけるユーザ端末は、無線基地局で読み替えてもよい。この場合、上述のユーザ端末２０が有する機能を無線基地局１０が有する構成としてもよい。
【０２０５】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２０６】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２０７】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２０８】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２０９】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２１０】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２１１】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２１２】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２１３】
本明細書において、「ＡとＢが異なる」という用語は、「ＡとＢが互いに異なる」ことを意味してもよい。「離れる」、「結合される」などの用語も同様に解釈されてもよい。
【０２１４】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２１５】
以上、本開示に係る発明について詳細に説明したが、当業者にとっては、本開示に係る発明が本明細書中に説明した実施形態に限定されないということは明らかである。本開示に係る発明は、請求の範囲の記載に基づいて定まる発明の趣旨及び範囲を逸脱することなく修正及び変更態様として実施することができる。したがって、本明細書の記載は、例示説明を目的とし、本開示に係る発明に対して何ら制限的な意味をもたらさない。
【図１】
2020017058.tif 000005
【図２】
2020017058.tif 000006
【図３】
2020017058.tif 000007
【図４】
2020017058.tif 000008
【図５】
2020017058.tif 000009
【図６】
2020017058.tif 000010
【図７】
2020017058.tif 000011
【図８】
2020017058.tif 000012
【図９】
2020017058.tif 000013
【図１０】
2020017058.tif 000014
【図１１】
2020017058.tif 000015
【図１２】
2020017058.tif 000016
【国際調査報告】
2020017058.tif 000017
2020017058.tif 000018
2020017058.tif 000019